(57)【要約】      （修正有）【課題】コンロ上部の開口部が鉄板やグリルで塞がれてもバーナーの燃焼に必要な空気が不足せず、またコンロ内で熱せられた空気によって金属製の側板が加熱されない断熱機構を有する側板を備えたコンロを提供する。【解決方法】左右いずれか一方の側面にカセットガスボンベを装着するガス供給部５０を備え、他の三方の側面（前面、背面ともう一方の側面）には燃焼に必要な空気の流入孔）が複数設けられた金属製の側板１１で構成され、上部にグリル４０や鉄板を載置して肉や魚介類等の食材を焼いて調理するコンロにおいて、前記側板が、コンロ内部でバーナー２０で熱せられた空気によって高温となるのを防止するため、燃焼に必要な空気流入孔を複数穿設された断熱仕切り板１２を前記側板の内側に着脱可能に設けられてなることを特徴とする。【選択図】図１
0003173614.tif 000002
【実用新案登録請求の範囲】
【請求項１】
左右いずれか一方の側面にカセットガスボンベ（Ｇ）を装着するガス供給部（５０）を備え、他の三方の側面（前面、背面ともう一方の側面）は燃焼に必要な空気の流入孔（１０ａ）が複数設けられた金属製の側板（１１）で構成され、ガス供給部（５０）からのガスを燃焼させるバーナー（２０）を内部に収容し、上部にグリル（４０）や鉄板を載置して肉や魚介類等の食材を焼いて調理するコンロ（１０）において、
前記側板（１１）が、コンロ（１０）内部のバーナー（２０）で熱せられた空気によって高温となるのを防止するため、燃焼に必要な空気流入孔（１２ｂ）を複数穿設された断熱仕切り板（１２）を前記側板（１１）の内側に着脱可能に設けられてなることを特徴とする断熱機能を有する側板を備えたコンロ。
【請求項２】
断熱仕切板（１２）を装着するため、側板（１１）の上部が内側に折り曲げられ、さらにその先端が下方に折り曲げられて断面コの字状に形成され、前記下方に向けて折り曲げられた部分が断熱仕切り板装着部（１１ｂ）とされてなり、該断熱仕切り板装着部（１１ｂ）に前記断熱仕切り板（１２）の表面に突設された結合凸部（１２ａ）を嵌入する複数の結合凹部（１１ａ）と複数のねじ穴（１１ｃ）とが設けられてなり、
前記断熱仕切り板（１２）には、前記側板（１１）断熱仕切り板装着部（１１ｂ）に設けた結合凹部に嵌入する複数の結合凸部（１２ａ）と複数のねじ穴（１２ｃ）が設けられてなることを特徴とする請求項１に記載の断熱機能を有する側板を備えたコンロ。
【請求項３】
断熱仕切り板（１２）が、前記側板（１１）に安定して装着できるよう、該断熱仕切り板（１１）の上下部が折り曲げられ、その先端が側板（１１）の内面に当接するよう形成されてなることを特徴とする請求項１又は２に記載の断熱機能を有する側板を備えたコンロ。
【請求項４】
板熱仕切り板（１２）の下部の折り曲げ長さが、上部の折り曲げ長さより大きくとられ、前記断熱仕切り板（１２）の表面が上方に向けてコンロ（１０）内の熱を反射するよう傾斜して取り付けられてなることを特徴とする請求項１〜３のいずれか１項に記載の断熱機能を有する側板を備えたコンロ。
【考案の詳細な説明】
【技術分野】
【０００１】
左右いずれか一方の側面にカセットガスボンベを装着するガス供給部を備え、他の三方の側面（前面、背面ともう一方の側面）は燃焼に必要な空気の流入孔が複数設けられた金属製の側板で構成され、ガス供給部からのガスを燃焼させるバーナーを内部に収容し、上部にグリルや鉄板を載置して肉や魚介類等の食材を焼いて調理するコンロに係り、前記側板がコンロ内の熱せられた空気によって加熱されないよう側板に断熱仕切り板を備えたコンロに関する。
【背景技術】
【０００２】
カセットガスボンベを使用するコンロの多くは炎口が環状に配置されたガスバーナー上に鍋などの容器を載置して食材を調理するものであって、コンロの上部は広く開口されており、コンロ本体の内部にバーナー等の熱源によって熱せられた空気が滞留充満して、コンロの金属製側板を高温にするおそれは極めて低く、調理中にコンロの金属製側板に触れても火傷等の損傷を受けることはほとんどない。しかし、コンロの上部に肉や魚介類等の食材を焼くために鉄板やグリルを載置し前記コンロ上部の開口部を塞ぐ形状のコンロにあっては、燃焼に必要な空気の供給が不足して不完全燃焼を起こす危険が伴い、これを解消するために側板に空気流入孔を設ければ燃焼は継続されるが、コンロ内部に加熱された空気が滞留して金属製の側板を高温にし、これに触れて火傷を起こす危険が増えることになる。
これまではグリルや鉄板をコンロの開口部載置して開口を塞いで使用するカセットガスボンベ用のコンロの例は見られず、したがってコンロの金属製側板に空気流通孔や断熱機構を備えたものは見られなかった。
【考案の概要】
【考案が解決しようとする課題】
【０００３】
本考案は上記背景気技術に鑑みてなされたもので、コンロ上部の開口部が鉄板やグリルで塞がれてもバーナーの燃焼に必要な空気が供給でき、またコンロ内で熱せられた空気によって金属製の側板が高温とならない断熱機構を有する側板を備えたコンロを提供しようとするものである。
【課題を解決するための手段】
【０００４】
本考案者は上記課題を下記の手段により解決した。
（１）左右いずれか一方の側面にカセットガスボンベを装着するガス供給部を備え、他の三方の側面（前面、背面ともう一方の側面）には燃焼に必要な空気の流入孔）が複数設けられた金属製の側板で構成され、ガス供給部からのガスを燃焼させるバーナーを内部に収容し、上部にグリルや鉄板を載置して肉や魚介類等の食材を焼いて調理するコンロにおいて、
前記側板が、コンロ内部でバーナーで熱せられた空気によって高温となるのを防止するため、燃焼に必要な空気流入孔を複数穿設された断熱仕切り板を前記側板の内側に着脱可能に設けられてなることを特徴とする断熱機能を有する側板を備えたコンロ。
【０００５】
（２）断熱仕切板を装着するため、側板の上部が内側に折り曲げられ、さらにその先端が下方に折り曲げられて断面コの字状に形成され、前記下方に向けて折り曲げられた部分が断熱仕切り板装着部とされてなり、該断熱仕切り板装着部に前記断熱仕切り板の表面に突設された結合凸部を嵌入する複数の結合凹部と複数のねじ穴とが設けられてなり、
また、前記断熱仕切り板には、前記側板の断熱仕切り板装着部に設けた結合凹部に嵌入する複数の結合凸部と複数のねじ穴が設けられてなることを特徴とする前項（１）に記載の断熱機能を有する側板を備えたコンロ。
【０００６】
（３）断熱仕切り板が、前記側板に安定し装着できるよう、該断熱仕切り板の上下部が折り曲げられ、その先端が側板の内面に当接するよう形成されてなることを特徴とする前項（１）又は（２）に記載の断熱機能を有する側板を備えたコンロ。
【０００７】
（４）板熱仕切り板の下部の折り曲げ長さが、上部の折り曲げ長さより大きくとられ、前記断熱仕切り板の表面が上方に向けてコンロ内の熱を反射するよう傾斜して取り付けられてなることを特徴とする前項（１）〜（３）のいずれか１項に記載の断熱機能を有する側板を備えたコンロ。
【考案の効果】
【０００８】
〈１〉左右いずれか一方の側面にカセットガスボンベを装着するガス供給部を備え、他の三方の側面（前面、背面ともう一方の側面）は燃焼に必要な空気の流入孔が複数設けられた金属製の側板で構成され、ガス供給部からのガスを燃焼させるバーナーを内部に収容してなるコンロが、燃焼に必要な空気流入孔を複数穿設された断熱仕切り板を前記側板の内側に着脱可能に設けられているので、コンロ上部に肉や魚介類等の食材を焼いて調理するためのめ鉄板やグリルを載置してもバーナーの燃焼に必要な空気は側板及び断熱仕切り板に穿設された空気流入孔から供給されるので不完全燃焼のおそれがなく、またコンロ内に充満する高温の空気は前記断熱仕切り板で遮断されて前記金属製の側板に触れることがないため側板が高温になることがなく、調理中に側板に触れても火傷などの損傷を与えることのない、安全なコンロが提供できる。
【０００９】
〈２〉断熱仕切り板を装着するため、側板の上部が内側に折り曲げられ、さらにその先端が下方に折り曲げられて断面コの字状に形成され、前記下方に向けて折り曲げられた部分が断熱仕切り板装着部とされてなり、該断熱仕切り板装着部に前記断熱仕切り板の表面に突設された結合凸部を嵌入する複数の結合凹部と複数のねじ穴とが設けられてなり、
また、前記断熱仕切り板には、前記側板の断熱仕切り板装着部に設けられた結合凹部に嵌入する複数の結合凸部と複数のねじ穴が設けられているので、前記側板上部の断面コの字状に形成された部分の内側に前記断熱仕切り板の上部を挿入し、前記断熱仕切り板の結合凸部を側板の断熱仕切り板装着部の結合凹部に嵌入し、ねじ穴を介して断熱仕切り板のねじ穴にねじを螺着することによって容易に装着でき、また、側板からの断熱仕切り板の離脱も容易なことからコンロの洗浄も簡便にできる。
【００１０】
〈３〉該断熱仕切り板の上下部が折り曲げられ、その先端が側板の内面に当接するよう形成されているので、断熱仕切り板を前記側板に安定して固定でき、また、断熱仕切り板と側板との当接部に隙間を生じることなく、したがって熱せられた空気が断熱仕切り板と側板との間に入り込むことがなく、側板の高温化がより確実に防止できる。
【００１１】
〈４〉板熱仕切り板の下部の折り曲げ長さが、上部の折り曲げ長さより大きくとられ、前記断熱仕切り板の表面が上方に向けて傾斜した形状で側板に取り付けられるので、コンロ内の熱を上方に反射しコンロ上に載置したグリルや鉄板の加熱効果を高めることができる。
【図面の簡単な説明】
【００１２】
【図１】本考案の断熱機能を有する側板を備えたコンロの一実施例の斜視図
【図２】図１に示す断熱機能を有する側板を備えたコンロの分解斜視図
【図３】本考案のコンロ側板への断熱仕切り板の取り付け説明図
【図４】本考案のコンロ側板への他の断熱仕切り板の取り付け説明図
【考案を実施するための形態】
【００１３】
本考案の断熱機能を有する側板を備えたコンロを実施するための形態を実施例の図に基づいて説明する。
図１は本考案の断熱機能を有する側板を備えたコンロの一実施例の斜視図、図２は図１に示す断熱機能を有する側板を備えたコンロの分解斜視図、図３は本考案のコンロ側板への断熱仕切り板の取り付け説明図、図４は本考案のコンロ側板への他の形状の断熱仕切り板の取り付け説明図である。
図において１０はコンロ、１０ａは空気流入孔、１１は側板、１１ａは結合凹部、１１ｂは断熱仕切り板装着部、１１ｃはねじ穴、１２、１２’は断熱仕切り板、１２ａは結合凸部、１２ｂは空気流入孔、１２ｃはねじ穴、１３は水受け、１４は挿入ガイド、１５はコンロ脚部、２０、２０’はバーナー、２１はガス燃焼口、３０は炭受け、３１は着火・加熱穴、４０はグリル、４１はプレート部、４２はグリル穴、４３はグリルリブ、４４は突起、４５は補助プレート、４６：グリル脚、５０：ガス供給部、５１はカバー、５２はガス点火・供給量調節つまみ、５３は安全レバー、５４は点火プラグ、Ｇはカセットガスボンベを示す。
【００１４】
本考案の断熱機能を有する側板を備えたコンロは、図１及び図２に示すように、左右いずれか一方の側面にカセットガスボンベＧを装着するガス供給部５０を備え、他の三方の側面（前面、背面ともう一方の側面）は燃焼に必要な空気の流入孔１０ａが複数設けられた金属製の側板１１で構成され、ガス供給部からのガスを燃焼させるバーナー２０を内部に収容し、上部にグリル４０や鉄板を載置して肉や魚介類等の食材を焼いて調理するコンロ１０であって、
前記グリル４０や鉄板によってコンロ１０上部の開口部が塞がれて燃焼に必要な空気が不足するのを防止するため前記側板１１に空気流入孔１０ａが複数穿設され、またコンロ１０内部のバーナー２０の燃焼によって熱せられた空気が触れて前記側板１１が高温となるのを防止するため、断熱仕切り板１２を前記側板１１の内側に着脱可能に設けられるように構成されたものである。
【００１５】
したがって、本考案の断熱機能を有する側板を備えたコンロ１０の側板１１は、前記断熱仕切り板１２が装着できるよう、図３（ａ）及び図４（ａ）に示すように、側板１１の上部が内側に折り曲げられ、さらにその先端が下方に折り曲げられて断面コの字状に形成され、前記下方に向けて折り曲げられた部分が断熱仕切り板装着部１１ｂとされ、該断熱仕切り板装着部１１ｂに、断熱仕切り板１２の表面に突設された結合凸部１２ａを嵌入する複数の結合凹部１１ａと複数のねじ穴１１ｃとが設けられている。
一方断熱仕切り板１２は、図３及び図４に示すように、コンロ１０の側板１１の空気流入孔１０ａを通ってコンロ１０内に入ってくる空気が、断熱仕切り板１２を通過できるよう複数の空気流入孔１２ｂが、前記コンロ１０の側板１１に設けられた空気流入孔１０ａと同じ大きさ又は僅か大きめに穿設されている。そして、断熱仕切り板１２の表面には浮きだし加工（エンポッシング）によって突設された複数の結合凸部１２ａと複数のねじ穴１２ｃとが設けられている。
さらに、断熱仕切り板１２は、前記側板１１に安定して装着できるよう、前記断熱仕切り板１１の上下部が、その先端が側板１１の内面に当接するよう折り曲げられている。
なお、図４に示すように板熱仕切り板１２の下部の折り曲げ長さが上部の折り曲げ長さより大きくとられ、前記断熱仕切り板１２の表面が上方に向けてコンロ内の熱を反射するよう傾斜して取り付けられるようにすることも好ましい。
【００１６】
断熱仕切板１２の側板１１への装着は、図３（ｂ）及び図４（ｂ）の結合断面図に示すように、前記側板１１の上部の断面コの字状に形成された部分の内側に断熱仕切り板１２の上部を挿入し、前記断熱仕切り板１２の結合凸部１２ａを結合凹部１１ａに嵌入して、ねじ穴１１ｃを介して断熱仕切り板１２のねじ穴１２ｃにねじを螺着して固定することによって行われる。
【００１７】
図１に示す断熱機能を有する側板を備えたコンロ１０は、コンロ１０の前面と背面との中間部に延伸されて設けられたバーナー２０を備えたものであるが、本考案の断熱機能を有する側板を備えたコンロ１０は、通常使用されている炎口が環状に配列されたバーナーを備えたものであってもよく、この炎口が環状に配列されたバーナーを用いた本考案の断熱機能を有する側板を備えたコンロにあっては、グリル４０や鉄板を使用しない場合には、中央部分にバーナー２０’を露出させる穴を穿ち、上面に五徳を備えた蓋体を別途用意しておけば、これを前記コンロの開口部に被せることによって通常の煮炊きにも利用できるコンロとしても使用できるので好ましい。
【符号の説明】
【００１８】
１０：断熱機能を有する側板を備えたコンロ
１０ａ：空気流入孔
１１：側板
１１ａ：結合凹部
１１ｂ：断熱仕切り板装着部
１１ｃ：ねじ穴
１２：断熱仕切り板
１２ａ：結合凸部
１２ｂ：空気流入孔
１２ｃ：ねじ穴
１３：水受け
１４：挿入ガイド
１５：コンロ脚部
２０：バーナー
２１：ガス燃焼口
３０：炭受け
３１：着火・加熱穴
４０：グリル
４１：プレート部
４２：グリル穴
４３：グリルリブ
４４：突起
４５：補助プレート
４６：グリル脚
５０：ガス供給部
５１：カバー
５２：ガス点火・供給量調節つまみ
５３：安全レバー
５４：点火プラグ
Ｇ：カセットガスボンベ
【図１】
0003173614.tif 000003
【図２】
0003173614.tif 000004
【図３】
0003173614.tif 000005
【図４】
0003173614.tif 000006